(57)【要約】【課題】填充層の補修を一層迅速且つ容易に行え、見栄えよく填充層を補修できるようにする。【解決手段】補修型枠３０は、シート状のテープ基材３４及びテープ基材３４の少なくとも一方の面に設けられた粘着剤層３８を有するテープ型枠３２Ａと、填充材装填空間２１に連通し且つ上方に開放する填充材注入通路６２を画定する注入用型枠（５０、７０、９０）とを備え、テープ型枠３２Ａが、空隙Ｓの開放側の側部を閉塞して填充材装填空間２１を画定するべく、路盤コンクリート１の上面１Ａと軌道スラブ５の側面５Ａとに架け渡されるように貼付されてＬ字形をなしている。【選択図】図２
2020041397.tif 000002
【特許請求の範囲】
【請求項１】
路盤コンクリートと軌道スラブとの間に填充層が設けられ、前記軌道スラブにレールが締結されたスラブ式軌道の前記填充層の外周部に側方に開放するように形成された空隙を液状の填充材の注入によって補修するための補修型枠であって、
シート状のテープ基材及び当該テープ基材の少なくとも一方の面に設けられた粘着剤層を有するテープ型枠と、
前記空隙に連通する填充材注入通路を画定する注入用型枠とを備え、
前記テープ型枠が、前記空隙の開放側の側部を閉塞して前記填充層の外周部に填充材装填空間を画定するべく、前記路盤コンクリートの上面と前記軌道スラブの側面とに架け渡されるように貼付されてＬ字形をなしていることを特徴とするスラブ式軌道用の補修型枠。
【請求項２】
前記テープ型枠が透明又は半透明であることを特徴とする請求項１に記載のスラブ式軌道用の補修型枠。
【請求項３】
前記テープ基材が、不織布又は織布を含むことを特徴とする請求項１又は請求項２に記載のスラブ式軌道用の補修型枠。
【請求項４】
前記粘着剤層が前記テープ基材の一方の面に設けられており、前記テープ型枠が前記軌道スラブの外側に屈曲して前記路盤コンクリートの前記上面に貼付されていることを特徴とする請求項１〜請求項３のいずれかに記載のスラブ式軌道用の補修型枠。
【請求項５】
前記テープ型枠が、前記テープ基材の両方の面に前記粘着剤層が設けられた両面テープであり、前記軌道スラブの内側に屈曲して前記路盤コンクリートの前記上面に貼付されていることを特徴とする請求項１〜請求項３のいずれかに記載のスラブ式軌道用の補修型枠。
【請求項６】
前記粘着剤層が前記テープ型枠の上部にて前記テープ基材の一方の面に設けられ、前記テープ型枠の下部にて前記テープ基材の他方の面に設けられており、前記テープ型枠が前記軌道スラブの内側に屈曲して前記路盤コンクリートの前記上面に貼付されていることを特徴とする請求項１〜請求項３のいずれかに記載のスラブ式軌道用の補修型枠。
【請求項７】
前記填充材装填空間における前記軌道スラブの側面側に前記填充材を装填するための装填開口が形成され、
前記注入用型枠が、前記軌道スラブの側方に、平面視で前記装填開口を取り囲むように配置され、前記軌道スラブの下面よりも高い位置に填充材注入口を形成する箱状型枠を含むことを特徴とする請求項１〜請求項６のいずれかに記載のスラブ式軌道用の補修型枠。
【請求項８】
前記装填開口が前記テープ型枠に形成された開口部であることを特徴とする請求項７に記載のスラブ式軌道用の補修型枠。
【請求項９】
前記装填開口が、互いに離間するように設けられた２つの前記テープ型枠によって形成されていることを特徴とする請求項７に記載のスラブ式軌道用の補修型枠。
【請求項１０】
前記テープ型枠が、互いに隣接する２つの前記軌道スラブの間隙の側部を閉塞するべく、２つの前記軌道スラブの前記側面に架け渡されるように貼付され、
前記注入用型枠が、２つの前記軌道スラブの間に隙間なく配置されて前記テープ型枠と協働して上方に開放するように前記填充材注入通路を画定し、前記軌道スラブの下面よりも高い位置に填充材注入口を形成する可撓材製の袋状型枠を含むことを特徴とする請求項１〜請求項８のいずれかに記載のスラブ式軌道用の補修型枠。
【請求項１１】
前記注入用型枠が、前記テープ型枠に外方へ延びるように一体に設けられた注入管及び注入ホースの少なくとも一方を含むことを特徴とする請求項１〜請求項８のいずれかに記載のスラブ式軌道用の補修型枠。
【請求項１２】
請求項１〜請求項１１のいずれかに記載の補修型枠を用いたスラブ式軌道の填充層補修工法であって、
前記填充層を外周囲から水平方向に所定の深さまで除去する除去工程と、
前記填充材装填空間を画定すべく、前記除去工程によって前記路盤コンクリートと前記軌道スラブとの間にできた前記空隙の開放側の側部を閉塞するように前記スラブ式軌道用の補修型枠を設置する型枠設置工程と、
液状の前記填充材を前記填充材注入通路に注入して前記填充材装填空間に装填する填充材注入工程とを含むことを特徴とするスラブ式軌道の填充層補修工法。
【請求項１３】
前記テープ型枠における前記填充材装填空間の上部に対応する位置にエア抜き孔を穿設するエア抜き孔穿設工程と、
前記填充材の前記填充材装填空間への装填によって前記エア抜き孔からエアが抜けた後に前記テープ型枠にテープを貼付して前記エア抜き孔を閉塞するエア抜き孔閉塞工程とを更に含むことを特徴とする請求項１２に記載のスラブ式軌道の填充層補修工法。
【請求項１４】
前記填充材の硬化後に前記注入用型枠を撤去する注入用型枠撤去工程と、
前記填充材注入通路にて硬化した不要填充材を撤去する不要填充材撤去工程とを更に含むことを特徴とする請求項１２又は請求項１３に記載のスラブ式軌道の填充層補修工法。
【請求項１５】
前記填充材の前記填充材装填空間への装填の後、前記填充材装填空間と前記填充材注入通路との連通部に堰板を挿入する堰板挿入工程を更に含むことを特徴とする請求項１４に記載のスラブ式軌道の填充層補修工法。
【請求項１６】
請求項６に記載の補修型枠を用いたスラブ式軌道の填充層補修工法であって、
前記填充層を外周囲から水平方向に所定の深さまで除去する除去工程と、
前記填充材装填空間を画定すべく、前記除去工程によって前記路盤コンクリートと前記軌道スラブとの間にできた前記空隙の開放側の側部を閉塞するように前記スラブ式軌道用の補修型枠を設置する型枠設置工程と、
液状の前記填充材を前記填充材注入通路に注入して前記填充材装填空間に装填する填充材注入工程とを含み、
前記テープ型枠は、使用前状態において、前記テープ基材の上部側の前記一方の面に設けられた前記粘着剤層を覆う上側用の内側離型紙と、前記テープ基材の下部側の前記他方の面に設けられた前記粘着剤層を覆う下側用の外側離型紙とを備え、前記外側離型紙にはテープ長手方向に沿って延びる複数の切込線がテープ幅方向に間隔を空けて設けられており、
前記型枠設置工程が、
前記路盤コンクリートの前記上面に、前記軌道スラブの前記側面の直下に印を付ける位置出し工程と、
前記路盤コンクリートの前記上面から前記軌道スラブの下面までの高さに応じた切込線に沿って前記外側離型紙の下端部を取り除き、前記テープ型枠の下部を前記軌道スラブの内側に向けて前記外側離型紙の下縁を前記印に合わせ、前記テープ型枠を前記路盤コンクリートの前記上面に貼付する路盤側貼付工程と、
前記内側離型紙を取り除き、前記テープ型枠をＬ字形に曲げ起こして前記テープ型枠の上部を前記軌道スラブの前記側面に貼付するスラブ側貼付工程とを含むことを特徴とするスラブ式軌道の填充層補修工法。
【発明の詳細な説明】
【技術分野】
【０００１】
本発明は、スラブ式軌道用の補修型枠及びこれを用いたスラブ式軌道の填充層補修工法に関し、更に詳細には、填充層の補修の際に填充材を装填される空間を画定する補修型枠及びその補修型枠を用いたスラブ式軌道の填充層補修工法に関する。
【背景技術】
【０００２】
鉄道用の軌道として、路盤コンクリートとその上方に配置されるコンクリート製の軌道スラブとの間にＣＡモルタル（セメントアスファルトモルタル）による填充層が設けられ、軌道スラブ上にレールが締結されたスラブ式軌道が知られている（例えば、特許文献１）。
【０００３】
ＣＡモルタルによる填充層が外部に露呈する外周部分は、経年劣化するうえ、填充層にしみ込んだ水分が凍結・融解を繰り返すことによる凍害によって劣化が早いため、当該外周部分は比較的短期間のうちに補修が必要となる。填充層の外周部分の補修は、建て付けた型枠内に補修材を流し込む型枠注入工法により行われている。補修に用いる填充材には主に樹脂材が用いられており、型枠には一般的に木製型枠が用いられている。
【０００４】
ところが、木製型枠を用いる場合、運搬性や施工効率が悪く、取り扱いが煩雑であるうえ、安全性に欠けるといった問題があった。このような問題を解決し得る工法として、本出願人は、路盤コンクリートと軌道スラブとの間にできる空隙の外周部分に設置され、内部に気密室を画定する可撓材製の袋体と、袋体を横方向に貫通する填充材装填通路を画定し、気密室の流体圧によって縮径方向に弾性変形して填充材装填通路を閉塞する可撓材製の填充材注入用筒体とを有する補修型枠を提案している（特許文献２）。
【先行技術文献】
【特許文献】
【０００５】
【特許文献１】特開２００２−１６７４２１号公報
【特許文献２】特開２０１５−１６８９６９号公報
【発明の概要】
【発明が解決しようとする課題】
【０００６】
しかしながら、特許文献２記載の補修型枠は、路盤コンクリートと軌道スラブとの間に配置される可撓材製の袋体を固定するために、袋体を膨らませてその下面を路盤コンクリートの上面に押し付け、袋体の上面を軌道スラブの下面に押し付ける必要がある。そのため、型枠の設置作業及び撤去作業が煩雑である。また、路盤コンクリートと軌道スラブとの間にできる空隙の外周部分に型枠配置用のスペースが必要になり、この部分に補修材を填充することができない。
【０００７】
本発明は、このような背景に鑑み、填充層の補修を一層迅速且つ容易に行え、見栄えよく填充層を補修できるようにすることを課題とする。
【課題を解決するための手段】
【０００８】
このような課題を解決するために、本発明のある実施形態は、路盤コンクリート（１）と軌道スラブ（５）との間に填充層（３）が設けられ、前記軌道スラブにレール（９）が締結されたスラブ式軌道の前記填充層の外周部に側方に開放するように形成された空隙（Ｓ）を液状の填充材の注入によって補修するための補修型枠（３０）であって、シート状のテープ基材（３４、３６）及び当該テープ基材の少なくとも一方の面に設けられた粘着剤層（３８）を有するテープ型枠（３２（３２Ａ〜３２Ｅ））と、前記空隙に連通する填充材注入通路（６２）を画定する注入用型枠（５０、７０、９０）とを備え、前記テープ型枠が、前記空隙の開放側の側部を閉塞して填充材装填空間（２１）を画定するべく、前記路盤コンクリートの上面（１Ａ）と前記軌道スラブの側面（５Ａ）とに架け渡されるように貼付されてＬ字形をなしている。
【０００９】
この構成によれば、路盤コンクリートの上面と軌道スラブの側面とに架け渡すようにテープ型枠を貼付することによって空隙の開放側の側部を閉塞できる。したがって、型枠の設置作業を迅速且つ容易に行える。また、テープ型枠を剥がすことによって撤去できるため、型枠の撤去作業も迅速且つ容易に行える。なお、テープ型枠を撤去しない場合には填充層の補修が一層容易になる。また、テープ型枠を、Ｌ字形をなして架け渡されるように路盤コンクリートの上面と軌道スラブの側面とに貼付するため、空隙の外周部分に型枠配置用のスペースが不要であり、空隙の全体の填充材を装填できる。したがって、見栄えよく填充層を補修することができる。また、テープ型枠はロールの状態で取り扱えることから、型枠材料の保管や運搬が簡単になる。
【００１０】
上記構成のスラブ式軌道用の補修型枠（３０）において、前記テープ型枠（３２）が透明又は半透明であるとよい。
【００１１】
この構成によれば、填充材装填空間における填充材の装填状態を視覚で確認することができる。そのため、填充材装填空間に填充材を確実に装填することができる。これにより、従来の型枠を用いた場合のように脱型後に発見された空隙箇所に填充材を再注入する再補修作業が不要になる。
【００１２】
上記構成のスラブ式軌道用の補修型枠（３０）において、前記テープ基材（３４、３６）が、不織布（３６）又は織布を含むとよい。
【００１３】
この構成によれば、テープ型枠が厚くなることを抑制しつつテープ型枠のせん断強度を高くすることができる。これにより、填充層の補修を一層迅速且つ容易に行える。具体的には、せん断強度が高いことによってテープ型枠が破れ難くなることから、型枠撤去作業が容易になり、厚くないことでテープ型枠が変形容易なことから、型枠設置作業が容易になる。
【００１４】
上記構成のスラブ式軌道用の補修型枠（３０）において、前記粘着剤層（３８）が前記テープ基材（３４）の一方の面に設けられており、前記テープ型枠（３２Ａ）が前記軌道スラブ（５）の外側に屈曲して前記路盤コンクリート（１）の前記上面（１Ａ）に貼付されていてよい。
【００１５】
この構成によれば、軌道スラブの外側で路盤コンクリートに貼付すればよいため、テープ型枠の設置作業（貼付作業）が容易である。
【００１６】
上記構成において、前記テープ型枠（３２Ｃ）が、前記テープ基材（３４、３６）の両方の面に前記粘着剤層（３８）が設けられた両面テープであり、前記軌道スラブ（５）の内側に屈曲して前記路盤コンクリート（１）の前記上面に貼付されているとよい。
【００１７】
この構成によれば、汎用品の両面テープをテープ型枠に用いることができる、また、填充材装填空間に装填された填充材の圧力によってテープ型枠が外側に膨らむこと（すなわち、路盤コンクリートに対するテープ型枠の接着面の外方への後退によってテープ型枠が弛んで膨らむこと）を防止できる。
【００１８】
あるいは、上記構成のスラブ式軌道用の補修型枠（３０）において、前記粘着剤層（３８）が前記テープ型枠（３２Ｄ、３２Ｅ）の上部にて前記テープ基材（３４）の一方の面に設けられ、前記テープ型枠の下部にて前記テープ基材の他方の面に設けられており、前記テープ型枠が前記軌道スラブ（５）の内側に屈曲して前記路盤コンクリート（１）の前記上面（１Ａ）に貼付されていてもよい。
【００１９】
この構成によれば、填充材装填空間に装填された填充材の圧力によってテープ型枠が外側に膨らむこと（すなわち、路盤コンクリートに対するテープ型枠の接着面の外方への後退によってテープ型枠が弛んで膨らむこと）を防止できる。
【００２０】
上記構成において、前記填充材装填空間（２１）における前記軌道スラブ（５）の側面側に前記填充材を装填するための装填開口（４０）が形成され、前記注入用型枠（５０、７０、９０）が、前記軌道スラブの側方に、平面視で前記装填開口を取り囲むように配置され、前記軌道スラブの下面（５Ｂ）よりも高い位置に填充材注入口（６０）を形成する箱状型枠（５０）を含んでよい。
【００２１】
この構成によれば、軌道スラブの側方にて箱状型枠を容易に設置することができる。
【００２２】
装填開口が形成される場合、前記装填開口（４０）が前記テープ型枠（３２Ａ）に形成された開口部であるとよい。
【００２３】
この構成によれば、テープ型枠を軌道スラブの全長にわたって設置した後に、所望の位置に開口部からなる装填開口を形成することができる。
【００２４】
あるいは、装填開口が形成される場合、前記装填開口（４０）が、互いに離間するように設けられた２つの前記テープ型枠（３２Ａ）によって形成されていてもよい。
【００２５】
この構成によれば、テープ型枠の延長を短くすることができる。
【００２６】
上記構成において、前記テープ型枠（３２Ｂ）が、互いに隣接する２つの前記軌道スラブ（５）の間隙の側部を閉塞するべく、２つの前記軌道スラブの前記側面に架け渡されるように貼付され、前記注入用型枠（５０、７０、９０）が、２つの前記軌道スラブの間に隙間なく配置されて前記テープ型枠と協働して上方に開放するように前記填充材注入通路（６２）を画定し、前記軌道スラブの下面（５Ｂ）よりも高い位置に填充材注入口（６０）を形成する可撓材製の袋状型枠（７０）を含むとよい。
【００２７】
この構成によれば、互いに隣接する２つの軌道スラブの間に、テープ型枠と袋状型枠とによって填充材注入通路を容易に形成することができる。
【００２８】
また、上記構成において、前記注入用型枠（５０、７０、９０）が、前記テープ型枠（３２）に外方へ延びるように一体に設けられた注入管（９２）及び注入ホース（９４）の少なくとも一方を含む管状型枠（９０）を含むとよい。
【００２９】
この構成によれば、注入管又は注入ホースに注入用ノズルを接続し、圧送によって填充材を填充材装填空間に注入することができる。そのため、填充材の注入効率を向上できる。
【００３０】
また、上記課題を解決するために、本発明のある実施形態は、上記構成の補修型枠（３０）を用いたスラブ式軌道の填充層補修工法であって、前記填充層（３）を外周囲から水平方向に所定の深さまで除去する除去工程と、前記填充材装填空間（２１）を画定すべく、前記除去工程によって前記路盤コンクリート（１）と前記軌道スラブ（５）との間にできた前記空隙（Ｓ）の開放側の側部を閉塞するように前記スラブ式軌道用の補修型枠（３０）を設置する型枠設置工程と、液状の前記填充材を前記填充材注入通路（６２）に注入して前記填充材装填空間に装填する填充材注入工程とを含む。
【００３１】
この構成によれば、除去工程の後、補修型枠を迅速且つ容易に設置できる。したがって、除去工程の後、早期に填充材注入工程を行うことができる。あるいは、大量のテープ型枠を現場に持ち込めるため、除去工程の後、比較的長い延長にわたって補修型枠を設置して、填充材注入工程を比較的長い延長にわたって連続的にまとめて行うことができる。
【００３２】
上記構成の填充層補修工法において、前記テープ型枠（３２）における前記填充材装填空間（２１）の上部に対応する位置にエア抜き孔（７４）を穿設するエア抜き孔穿設工程と、前記填充材の前記填充材装填空間への装填によって前記エア抜き孔からエアが抜けた後に前記テープ型枠にテープ（７６）を貼付して前記エア抜き孔を閉塞するエア抜き孔閉塞工程とを更に含むとよい。
【００３３】
この構成によれば、簡単且つ所望の位置にエア抜き孔を穿設し、エア抜きが終わった後にテープの貼付によって簡単にエア抜き孔を閉塞することができる。したがって、填充材装填空間に確実に填充材を装填することができる。
【００３４】
上記構成の填充層補修工法において、前記填充材の硬化後に前記注入用型枠（５０、７０、９０）を撤去する注入用型枠撤去工程と、前記填充材注入通路（６２）にて硬化した不要填充材を撤去する不要填充材撤去工程とを更に含むとよい。
【００３５】
この構成によれば、不要な注入用型枠及び不要な填充材を撤去することで、見栄えよく填充層を補修することができる。
【００３６】
上記構成の填充層補修工法において、前記填充材の前記填充材装填空間（２１）への装填の後、前記填充材装填空間と前記填充材注入通路（６２）との連通部に堰板（７８）を挿入する堰板挿入工程を更に含むとよい。
【００３７】
この構成によれば、填充材注入通路に溜まった状態で固まった填充材を、切断作業を要することなく容易に撤去することができる。
【００３８】
また、上記課題を解決するために、本発明のある実施形態は、前記粘着剤層（３８）が前記テープ型枠（３２Ｄ、３２Ｅ）の上部にて前記テープ基材（３４）の一方の面に設けられ、前記テープ型枠の下部にて前記テープ基材の他方の面に設けられた構成の補修型枠（３０）を用いたスラブ式軌道の填充層補修工法であって、前記填充層（３）を外周囲から水平方向に所定の深さまで除去する除去工程と、前記填充材装填空間（２１）を画定すべく、前記除去工程によって前記路盤コンクリート（１）と前記軌道スラブ（５）との間にできた前記空隙（Ｓ）の開放側の側部を閉塞するように前記スラブ式軌道用の補修型枠（３０）を設置する型枠設置工程と、液状の前記填充材を前記填充材注入通路（６２）に注入して前記填充材装填空間に装填する填充材注入工程とを含み、前記テープ型枠は、使用前状態において、前記テープ基材の上部側の前記一方の面に設けられた前記粘着剤層を覆う上側用の内側離型紙（１１０）と、前記テープ基材の下部側の前記他方の面に設けられた前記粘着剤層を覆う下側用の外側離型紙（１１２）とを備え、前記外側離型紙にはテープ長手方向に沿って延びる複数の切込線（１１４）がテープ幅方向に間隔を空けて設けられており、前記型枠設置工程が、前記路盤コンクリートの前記上面に、前記軌道スラブの前記側面の直下に印（１１８）を付ける位置出し工程と、前記路盤コンクリートの前記上面から前記軌道スラブの下面までの高さ（Ｈ）に応じた切込線に沿って前記外側離型紙の下端部を取り除き、前記テープ型枠の下部を前記軌道スラブの内側に向けて前記外側離型紙の下縁を前記印に合わせ、前記テープ型枠を前記路盤コンクリートの前記上面に貼付する路盤側貼付工程と、前記内側離型紙を取り除き、前記テープ型枠をＬ字形に曲げ起こして前記テープ型枠の上部を前記軌道スラブの前記側面に貼付するスラブ側貼付工程とを含む。
【００３９】
この構成によれば、除去工程の後、補修型枠を迅速且つ容易に設置できる。したがって、除去工程の後、早期に填充材注入工程を行うことができる。また、路盤コンクリートの上面から軌道スラブの下面までの高さに応じた位置で外側離型紙の下端部を取り除き、外側離型紙の下縁を印に合わせることで、容易にテープ型枠を適切な位置に設置することができる。即ち、路盤コンクリートの上面に接着させたテープ型枠が必要以上に広い範囲にわたって路盤コンクリートに接着することがなく、容易にテープ型枠をＬ字形に曲げ起こして軌道スラブの側面に貼付することができる。また、テープ型枠の上部にて軌道スラブの側面側に設けられた粘着剤層が不要に大きく空隙に面することを抑制することができる。これにより、填充材の注入、硬化後にテープ型枠を除去する際に、テープ型枠が充填材に接着して除去し難くなることを抑制することができる。
【発明の効果】
【００４０】
このように本発明によれば、填充層の補修を一層迅速且つ容易に行え、見栄えよく填充層を補修することができる。
【図面の簡単な説明】
【００４１】
【図１】本発明による補修型枠が用いられ、本発明による填充層補修工法が適用されるスラブ式軌道の概要を示す斜視図
【図２】第１実施形態による補修型枠の設置状態を示す斜視図
【図３】図２に示す補修型枠の組立状態を示す斜視図
【図４】図２中のIV−IV断面図
【図５】図２中のＶ−Ｖ断面図
【図６】本実施形態による補修型枠の組立手順の説明図
【図７】本実施形態による補修型枠の組立手順の説明図
【図８】本実施形態による補修型枠の組立手順の説明図
【図９】本実施形態の変形例による補修型枠の組立状態を示す斜視図
【図１０】第２実施形態による補修型枠を示す斜視図
【図１１】第３実施形態による補修型枠を示す斜視図
【図１２】第４実施形態による補修型枠を示す図４に相当する断面図
【図１３】図１２に示されるテープ型枠の詳細構成の３つの例を示す模式的断面図
【図１４】第５実施形態による補修型枠を示す断面図
【図１５】第６実施形態によるテープ型枠の使用前状態を示す斜視図
【図１６】第６実施形態によるテープ型枠の組立手順の説明図
【図１７】第６実施形態によるテープ型枠の組立手順の説明図
【発明を実施するための形態】
【００４２】
以下、図面を参照して、本発明の実施形態について詳細に説明する。
【００４３】
まず、本発明による補修型枠３０が用いられ、本発明による填充層補修工法が適用されるスラブ式軌道の概要を、図１を参照して説明する。
【００４４】
スラブ式軌道は、路盤コンクリート１上に形成されたＣＡモルタル（セメントアスファルトモルタル）による填充層３と、填充層３上に設置されたコンクリート製の軌道スラブ５とを有し、軌道スラブ５上に締結具７によってレール９が締結されている。軌道スラブ５は矩形板状（長方体形状）をしたプレキャスト製品である。填充層３の厚さ（高さ）は、５０ｍｍ程度（３０ｍｍ〜１００ｍｍ程度）である。スラブ式軌道では、複数個の軌道スラブ５がレール敷設方向に並べて配置される。
【００４５】
軌道スラブ５の長手方向の両端部には位置決め用の凹部１１が形成されている。路盤コンクリート１上には凹部１１と係合する円柱状あるいは半円柱状の位置決め用の突起部１３に突出形成されている。
【００４６】
突起部１３は円柱状あるいは半円柱状をしている。凹部１１は、平面視で略半円状をなし、突起部１３の外径よりも５０ｍｍ程度大きい内径を有する。凹部１１と突起部１３とは間隙をおいて同心円状に係合する。この間隙は、凹部１１の内周面と突起部１３の外周面との間に内径−外径差によって形成された平面視で円環状あるいは略半円環状の空間であり、路盤コンクリート１側（底部）に排水通路部１７を残して円弧状填充層１９によって埋められている。これにより、凹部１１と突起部１３とは円弧状填充層１９と協働して路盤コンクリート１上における軌道スラブ５の横方向の移動を拘束（規制）する位置決め部として作用する。
【００４７】
次に、本発明による補修型枠３０の第１実施形態の構成を、図２〜図５を参照して説明する。
【００４８】
図２に示されるように、補修型枠３０は、填充層３の外周部を補修する際に、填充層３の外周部に側方に開放するように形成された空隙Ｓ（図４参照）に液状の填充材を注入するために用いられる。補修型枠３０は、テープ型枠３２（３２Ａ、３２Ｂ）と、填充材注入用の箱状型枠５０と、填充材注入用の袋状型枠７０を有する。テープ型枠３２は、填充層３の高さに配置された下段のテープ型枠３２Ａ及び、これよりも高い位置に配置された上段のテープ型枠３２Ｂとして設置されている。
【００４９】
填充材には、２液混合型の合成樹脂に、骨材及び硬化剤を混合したものが用いられる。合成樹脂は、ビニルエステル樹脂や、ウレタン樹脂、エポキシ樹脂等であってよい。填充材は、レール９上に移動可能に設けられた台車に搭載された専用の填充材供給装置によって供給される。具体的には、填充材供給装置は、第１液と第２液とを別々に骨材や硬化剤と混合し、別々のポンプによって圧送した後に、注入ノズルの手前に設けられたミキサーによって混合したうえで注入ノズルから供給する。他の実施形態では填充材にＣＡモルタルやその他の材料が用いられてもよい。
【００５０】
テープ型枠３２は、図４に示されるように、シート状の樹脂フィルム３４、シート状の不織布３６（不織布層）及び、樹脂フィルム３４の不織布３６側の面に塗布されたアクリル系等の粘着剤によって形成される粘着剤層３８とを有する三層構造をなしている。樹脂フィルム３４及び不織布３６は、テープ型枠３２における粘着剤を塗布するためのテープ基材をなす。テープ型枠３２は、填充層３の厚さ（４０ｍｍ〜８０ｍｍ程度）よりも大きな幅（１００ｍｍ〜１５０ｍｍ程度）と適宜な厚さ（０．１ｍｍ〜１ｍｍ程度）とを有し、使用前の状態では芯材に巻かれたロール状とされている。
【００５１】
樹脂フィルム３４は、ポリエステル系樹脂によって形成されたフィルム（ポリエステル系フィルム）からなる。樹脂フィルム３４は、可撓性を有しており、これによって優れた形状追従性をテープ型枠３２に付与する一方、高い弾性率を有しており、これによって伸び難く、弛み難い特性をテープ型枠３２に付与している。
【００５２】
不織布３６は、高いせん断強度を有する繊維を薄いシート状に圧縮して形成したものであり、粘着剤によって樹脂フィルム３４に一体に接合されることによって高いせん断強度をテープ型枠３２に付与している。また、不織布３６は、樹脂フィルム３４に比べて高い耐熱性を有しており、填充材が硬化時に発熱して高温になってもテープ型枠３２の伸びを抑制する。
【００５３】
粘着剤層３８は、アクリル系等の粘着剤によって形成され、コンクリート面に対し、所定の１８０度引き剥がし粘着力を有している。具体的には、粘着剤層３８は、填充材の装填圧力（側圧）が作用したときに剥がれず、人の力で剥がれる程度の粘着力をテープ型枠３２に付与している。粘着剤層３８は、テープ基材（３４、３６）の全面にわたってシート状に塗布されており、それ自体で填充材の透過を防止する機能を有する。
【００５４】
テープ型枠３２は無色又は薄い白色の透明あるいは半透明であり、テープ型枠３２が所定位置に設置された状態で、テープ型枠３２の外部から裏側が見えるようになっている。ここで、裏側が見えるとは、裏面から離れた部分まで見えることを意味するものではなく、テープ型枠３２の裏側に装填される填充材の液位が見えることを意味する。
【００５５】
このようなテープ型枠３２として、例えば、日東電工株式会社製の接着テープ（製品名：ＨＦ−１０５Ｐ）を使用することができる。
【００５６】
テープ型枠３２Ａは、路盤コンクリート１の上面１Ａと軌道スラブ５の側面５Ａとに架け渡されるように貼付されてＬ字形をなし、空隙Ｓの開放側の側部を閉塞することで、填充層３の外周部に填充材装填空間２１を画定する。テープ型枠３２は、テープ基材である樹脂フィルム３４及び不織布３６の一方の面に粘着剤層３８が設けられていることから、下端部は填充材装填空間２１を画定する部分に対して軌道スラブ５の外側に屈曲して路盤コンクリート１の上面１Ａに貼付されている。テープ型枠３２は、填充材装填空間２１を画定する部分が軌道スラブ５の側面５Ａに貼付された上部から弛みなく鉛直に垂下し、且つできるだけ小さな曲率半径をもって屈曲するように、上部及び下部の位置を調整して貼付されている。
【００５７】
図２に示されるように、テープ型枠３２Ａは、前後方向に互いに隣接する２つの軌道スラブ５の空隙Ｓの開放側の側部をまとめて閉塞するように、これらの軌道スラブ５を跨いで連続的に設置されている。言い換えれば、テープ型枠３２Ａは、互いに隣接する２つの軌道スラブ５の側面５Ａに架け渡されるように貼付されている。
【００５８】
上段のテープ型枠３２Ｂは、下段のテープ型枠３２Ａよりも短く、軌道スラブ５の側面５Ａに沿って２つの軌道スラブ５の側面５Ａに架け渡されるように設けられ、これによりこれらの軌道スラブ５の間隙の側部を閉塞する。
【００５９】
図３に示されるように、下段のテープ型枠３２Ａには、前後方向において軌道スラブ５に対応する適宜な位置に、填充材を装填するための装填開口４０をなす開口部が形成されている。図示例では、１つの軌道スラブ５に対して３つの装填開口４０が形成されている。装填開口４０は、填充層３の高さに対応する位置、すなわち、填充材装填空間２１における軌道スラブ５の側面５Ａ側に形成されている。
【００６０】
図２、図３及び図５に示されるように、箱状型枠５０は、発泡スチロールや発泡ウレタン等の発泡樹脂からなり、平面視で矩形をなす底壁５２と底壁５２の３辺から立ち上がる側壁５４とを有している。箱状型枠５０は、軌道スラブ５の側方に、平面視で装填開口４０を取り囲むように配置される。箱状型枠５０の軌道スラブ５側の面には、弾性を有するシール部材５６が設けられている。
【００６１】
箱状型枠５０は、レール９（図２及び図３等では図示省略）に係止される止め金具５８によって軌道スラブ５に圧接した状態で固定される。箱状型枠５０が止め金具５８によって固定された設置状態では、シール部材５６が軌道スラブ５及びテープ型枠３２Ａの形状に追従して変形することでこれらに密着する。
【００６２】
設置状態の箱状型枠５０は、軌道スラブ５の下面５Ｂよりも高い位置に上向きの填充材注入口６０を形成すると共に、填充材注入口６０と装填開口４０との間に第１填充材注入通路６２Ａを画定している。すなわち、箱状型枠５０は填充材注入通路６２を形成する注入用型枠である。第１填充材注入通路６２Ａは、装填開口４０にて填充材装填空間２１に連通しており、填充材注入口６０にて上方に開放している。
【００６３】
図２に示されるように、袋状型枠７０は、ポリウレタンフィルム等の可撓材製の樹脂製シートによって構成された可撓性及び弾性を有する気密袋体である。袋状型枠７０は、直径５０ｍｍ程度の円形の断面形状を有して内部に気密室を画定しており、気密室に注入される空気等の気体によって膨らむバルーン構造の直線状の型枠である。
【００６４】
袋状型枠７０は、互いに隣接する２つの軌道スラブ５の間に挿入され、これらの軌道スラブ５の間に隙間なく配置される。袋状型枠７０は、空気圧によって前後の軌道スラブ５に弾接することで摩擦によって固定される。あるいは、袋状型枠７０と突起部１３との間に支持部材を設けて袋状型枠７０を固定してもよい。袋状型枠７０は、テープ型枠３２から離間した位置に配置されることにより、テープ型枠３２と協働してテープ型枠３２との間に第２填充材注入通路６２Ｂを画定する。すなわち、袋状型枠７０はテープ型枠３２協働して填充材注入通路６２を形成する注入用型枠である。
【００６５】
第２填充材注入通路６２Ｂは、上端がなす填充材注入口６０を軌道スラブ５の下面５Ｂよりも高い位置に形成すると共に、下端がなす装填開口４０を填充材装填空間２１における軌道スラブ５の前面又は後面側に形成する。
【００６６】
次に、第１実施形態による補修型枠３０を用いた填充層補修工法の手順を、主に図６〜図８を参照して説明する。当該填充層補修工法では、以下に説明する作業工程がこの順に実行される。
【００６７】
填充層補修工法では、まず、填充層３を外周囲から水平方向に所定の深さまで除去する除去工程を行う。除去工程は填充層３の側縁に沿ってその全長にわたって行われ、この除去工程により、填充層３の外周部の路盤コンクリート１と軌道スラブ５との間に側方に開放する空隙Ｓ（図４及び図５参照）が形成される。
【００６８】
次に、図６（Ａ）に示されるように、路盤コンクリート１の上面１Ａと軌道スラブ５の側面５Ａとのうち、テープ型枠３２が貼付される領域にプライマー７２を塗布するプライマー塗布工程を行う。プライマー塗布工程は任意であり、行われなくてもよい。プライマー７２には、テープ型枠３２の粘着剤に適した材料のものを用いればよい。プライマー７２には、例えば、コニシ株式会社製の商品名：ボンドＧ７７００Ｎや、商品名：ボンドＧ１７スプレーを用いることができる。
【００６９】
図６（Ｂ）に示されるように、下段のテープ型枠３２Ａを、Ｌ字形をなして路盤コンクリート１の上面１Ａと軌道スラブ５の側面５Ａとに架け渡すように貼付する第１テープ型枠設置工程を行う。第１テープ型枠設置工程により、空隙Ｓの開放側の側部が閉塞されて填充層３の外周部に填充材装填空間２１が画定される。また、これと並行して、上段のテープ型枠３２Ｂを、互いに隣接する２つの軌道スラブ５の側面５Ａに架け渡すように貼付する第２テープ型枠設置工程を行う。第２テープ型枠設置工程により、２つの軌道スラブ５の間隙の側部が閉塞される。
【００７０】
図６（Ｃ）及び図３に示されるように、下段のテープ型枠３２Ａをカッター等によって切断して開口部を形成する第１テープ型枠切断工程を行う。テープ型枠切断工程により、填充材装填空間２１における軌道スラブ５の側面５Ａ側に填充材を装填するための装填開口４０が形成される。装填開口４０がテープ型枠３２Ａに形成された開口部からなるため、テープ型枠３２Ａを軌道スラブ５の全長にわたって設置した後に、所望の位置に開口部をつくって装填開口４０を形成することができる。
【００７１】
図２に示されるように、箱状型枠５０を、軌道スラブ５の側方に、平面視で装填開口４０を取り囲むように配置すると共に、袋状型枠７０を、２つの軌道スラブ５の間に隙間なく配置する注入用型枠設置工程を行う。注入用型枠設置工程により、図２及び図５に示されるように、軌道スラブ５の下面５Ｂよりも高い位置にて上向きに開口する填充材注入口６０を有し、填充材装填空間２１に連通する填充材注入通路６２が画定される。
【００７２】
箱状型枠５０は、軌道スラブ５の側方に、平面視で装填開口４０を取り囲むように配置することで容易に設置することができる。袋状型枠７０は、軌道スラブ５の間に隙間なく配置することでテープ型枠３２と協働して第２填充材注入通路６２Ｂを画定するため、互いに隣接する２つの軌道スラブ５の間に、第２填充材注入通路６２Ｂを容易に形成することができる。
【００７３】
図５及び図７（（Ｄ）〜（Ｆ））に示されるように、填充材供給装置によって供給される填充材を填充材注入口６０から填充材注入通路６２に注入し、填充材を填充材装填空間２１に装填する填充材装填工程を行う。填充材の注入は重力によって行われ、前後方向の一方から他方に向けて順に行われる。填充層３の左右の両外周部に填充材装填空間２１が形成されている場合は、左右の填充材注入口６０に同時に填充材を注入するとよい。テープ型枠３２が透明又は半透明であるため、填充材装填空間２１における填充材の装填状態を視覚で確認することができ、装填状態を確認しながら填充材の注入及び注入する填充材注入口６０の移動を行うことができる。そのため、填充材装填空間２１に填充材を確実に装填することができる。これにより、従来の型枠を用いた場合のように脱型後に発見された空隙箇所に填充材を再注入する再補修作業が不要である。
【００７４】
填充材装填工程においては、図７（Ｄ）に示されるように、填充材装填空間２１の上部にエア溜まりが生じることがある。この場合、図７（Ｅ）に示されるように、テープ型枠３２Ａにおける填充材装填空間２１の上部に対応する位置にエア抜き孔７４を穿設するエア抜き孔穿設工程を行う。エア抜き孔穿設工程により、テープ型枠３２Ａの裏側に溜まっているエアがエア抜き孔７４から外部に排出され、填充材装填空間２１の上部にも填充材が装填されるようになる。エア抜き孔７４は、エアが所望の速度で抜けられるサイズの範囲においてできるだけ小さくするとよい。填充材装填空間２１の上部に填充材が装填されると、填充材がエア抜き孔７４から外部に漏れてくる。
【００７５】
そのため、エア抜きが完了した後には、図７（Ｆ）に示されるように、テープ型枠３２Ａにテープ７６を貼付してエア抜き孔７４を閉塞するエア抜き孔閉塞工程を行う。テープ７６にはテープ型枠３２を小さく切断したものを用いることができる。テープ７６を貼付する前には、エア抜き孔７４から漏れた填充材を拭き取るとよい。エア抜き孔閉塞工程により、填充材の漏れが止まる。なお、エア抜き孔閉塞工程は任意である。すなわち、填充材には上記のように骨材が混合されており、テープ型枠３２Ａが不織布３６を有している。そのため、填充材の漏れがしばらく続くと、骨材が不織布３６に絡んでエア抜き孔７４が目詰まりを起こす。これにより、填充材の漏れはいずれ止まる。
【００７６】
このように、エア抜き孔穿設工程とエア抜き孔閉塞工程とを行うことにより、簡単且つ所望の位置にエア抜き孔７４を穿設し、エア抜きが終わった後にテープ７６の貼付によって簡単にエア抜き孔７４を閉塞することができる。したがって、填充材装填空間２１に確実に填充材を装填することができる。
【００７７】
１つの填充材注入口６０から填充材装填空間２１への填充材の注入が完了した後には、図８に示されるように、填充材装填空間２１と填充材注入通路６２との連通部に堰板７８を挿入する堰板挿入工程を行う。堰板挿入工程により、填充材の硬化後に箱状型枠５０を撤去する際に、箱状型枠５０内の填充材注入通路６２に溜まった状態で固まった填充材を容易に撤去することができる。図８には箱状型枠５０及び第１填充材注入通路６２Ａを示しているが、袋状型枠７０とテープ型枠３２との間に形成される第２填充材注入通路６２Ｂと填充材装填空間２１との連通部にも同様に堰板７８を挿入する。
【００７８】
填充材の硬化後、箱状型枠５０及び袋状型枠７０を撤去する注入用型枠撤去工程を行う。これと同時に、或いは注入用型枠撤去工程の後、填充材注入通路６２にて硬化した不要な填充材を撤去する不要填充材撤去工程を行う。注入用型枠撤去工程及び不要填充材撤去工程にて、不要な注入用の袋状型枠７０及び不要な填充材を撤去することで、見栄えよく填充層３を補修することができる。
【００７９】
その後、テープ型枠３２を撤去するテープ型枠撤去工程を行う。なお、テープ型枠撤去工程は任意である。すなわち、テープ型枠３２は路盤コンクリート１の上面１Ａや軌道スラブ５の側面５Ａ、填充材の硬化によって補修された填充層３の側縁から突出するものではないため、撤去せずにそのまま残してもよい。以上の工程により、填充層補修工法が完了する。
【００８０】
このように、スラブ式軌道の填充層補修工法では、填充層３を外周囲から除去する除去工程、補修型枠３０を設置する型枠設置工程（図６、図３及び図２）、並びに、填充材を填充材装填空間２１に装填する填充材注入工程（図７）を行う。これらの工程により、除去工程の後に補修型枠３０を迅速且つ容易に設置できる。したがって、除去工程の後、早期に填充材注入工程を行うことができる。あるいは、大量のテープ型枠３２を現場に持ち込めるため、除去工程の後、比較的長い延長にわたって補修型枠３０を設置して、填充材注入工程を比較的長い延長にわたって連続的にまとめて行うことができる。
【００８１】
本実施形態のスラブ式軌道用の補修型枠３０では、図４に示されるように、路盤コンクリート１の上面１Ａと軌道スラブ５の側面５Ａとに架け渡すようにテープ型枠３２を貼付することによって空隙Ｓの開放側の側部を閉塞することができる。したがって、型枠の設置作業を迅速且つ容易に行える。また、テープ型枠３２を剥がすことによって撤去できるため、型枠の撤去作業も迅速且つ容易に行える。なお、テープ型枠３２を撤去しない場合には填充層３の補修が一層容易になる。また、テープ型枠３２を、Ｌ字形をなして架け渡すように路盤コンクリート１の上面１Ａと軌道スラブ５の側面５Ａとに貼付するため、空隙Ｓの外周部分に型枠配置用のスペースが不要であり、空隙Ｓの全体の填充材を装填できる。したがって、見栄えよく填充層３を補修することができる。また、テープ型枠３２はロールの状態で取り扱えることから、型枠材料の保管や運搬が簡単になる。
【００８２】
また、テープ型枠３２のテープ基材が樹脂フィルム３４における粘着剤層３８が設けられた側の面に不織布３６を有しているため、テープ型枠３２が厚くなることを抑制しつつテープ型枠３２のせん断強度を高くすることができる。これにより、せん断強度が高いことによってテープ型枠３２が破れ難くなることから、型枠撤去作業が容易になり、厚くないためにテープ型枠３２が変形容易なことから、型枠設置作業が容易になる。また、不織布３６が、填充材が硬化熱によるテープ型枠３２の伸びを抑制することから、填充材の装填後にテープ型枠３２が外方に膨出して填充材装填空間２１に空間が生じることが抑制される。
【００８３】
粘着剤層３８が樹脂フィルム３４及び不織布３６からなるテープ基材の一方の面に設けられている。テープ型枠３２は、軌道スラブ５の外側に屈曲して路盤コンクリート１の上面１Ａに貼付されているため、軌道スラブ５の外側で路盤コンクリート１に貼付することができる。したがって、テープ型枠３２の設置作業（貼付作業）が容易である。
【００８４】
次に、図９を参照して第１実施形態の変形例を説明する。なお、第１実施形態と同一の部材や部位には同一の符号を付し、重複する説明は省略する。この変形例では、図示されるように、装填開口４０が、互いに離間するように設けられた２つのテープ型枠３２Ａによって形成されている。この構成では、第１実施形態の第１テープ型枠設置工程（図６（Ｂ））のようにテープ型枠３２Ａを軌道スラブ５の全長にわたって連続的に設置することはできないが、テープ型枠３２Ａの延長を短くすることができる。
【００８５】
図１０は、第２実施形態による補修型枠３０を示す斜視図である。ここでも、第１実施形態と同一の部材や部位には同一の符号を付し、重複する説明は省略する。以降で説明する他の実施形態においても同様とする。図示されるように、この実施形態では、互いに隣接する軌道スラブ５の間に第２填充材注入通路６２Ｂが形成されておらず、填充層３の外周部に形成された空隙Ｓの前後方向に開放する前部及び後部が、袋体８０によって閉塞されている。テープ型枠３２は、下段のテープ型枠３２Ａのみが設けられ、上段には設けられていない。
【００８６】
袋体８０は、袋状型枠７０と同様に、可撓材製の樹脂製シートによって構成された可撓性及び弾性を有する気密のものであり、気密室に注入される空気等の気体によって膨らむバルーン構造の型枠である。袋体８０は、２つの軌道スラブ５の間に横向きに倒した状態で挿入され、注入された気体によって膨らんで空隙Ｓの前部及び後部に密着する。袋体８０は、路盤コンクリート１及び軌道スラブ５に対して摩擦によって固定され、填充層３の外周部に填充材装填空間２１を画定する。
【００８７】
このような構成によっても第１実施形態と同様の作用効果を得ることができる。
【００８８】
図１１は、第３実施形態による補修型枠３０を示す斜視図である。図示されるように、この実施形態でも、互いに隣接する軌道スラブ５の間に第２填充材注入通路６２Ｂが形成されていない。前後方向に開放する空隙Ｓの前部及び後部は、テープ型枠３２Ａによって閉塞されている。テープ型枠３２Ａは、軌道スラブ５の前面又は後面と路盤コンクリート１の上面１Ａとに架け渡されるように貼付されてＬ字形をなし、空隙Ｓの前部又は後部を閉塞している。
【００８９】
このような構成によっても填充材装填空間２１を画定することができ、上記実施形態と同様の作用効果を得ることができる。
【００９０】
図１２は、第４実施形態による補修型枠３０を示す図４に相当する断面図である。図示されるように、この実施形態では、填充層３の高さに配置された下段のテープ型枠３２（３２Ｃあるいは３２Ｄ）が軌道スラブ５の内側に屈曲して路盤コンクリート１の上面１Ａに貼付されている。
【００９１】
図１３は、図１２に示されるテープ型枠３２の詳細構成の３つの例を示す模式的断面図である。図１３（Ａ）に示されるように、このテープ型枠３２Ｃでは、粘着剤層３８が、テープ基材の両面の全面に塗布されている。テープ型枠３２Ｃのテープ基材は、樹脂フィルム３４（図４）を備えず、不織布３６のみを備えている。他の形態では、テープ型枠３２Ｃのテープ基材が樹脂フィルム３４（図４）を備えていてもよい。この場合、不織布３６は、樹脂フィルム３４の両面に設けられてもよく、両面に設けられてもよい。或いは、不織布３６が設けられなくてもよい。
【００９２】
このように、テープ型枠３２Ｃは、テープ基材の両方の面に粘着剤層３８が設けられた両面テープとされている。これにより、図１２に示されるようにテープ型枠３２Ｃを軌道スラブ５の内側に屈曲して路盤コンクリート１の上面１Ａに貼付することが可能になる。
【００９３】
図１３（Ｂ）に示されるように、このテープ型枠３２Ｄでは、粘着剤層３８が、テープ基材の上部において一方の面に設けられ、下部において他方の面に設けられている。テープ基材は、テープ型枠３２Ｄの全幅にわたって設けられた樹脂フィルム３４と、樹脂フィルム３４の上部において一方の面に設けられ、下部において他方の面に設けられた不織布３６とによって構成されている。上部に設けられた不織布３６及び粘着剤層３８と下部に設けられた不織布３６及び粘着剤層３８とは、使用前のロール状態のときに互いに接着しないように上下方向に離間して形成されている。
【００９４】
図１３（Ｃ）に示されるように、このテープ型枠３２Ｅでは、上記実施形態に比べて幅が狭い２つのテープ型枠素材を、粘着剤層３８同士を対向させ且つ上下方向にオーバーラップさせた状態で互いに当接させることで粘着剤層３８にて互いに接合させている。
【００９５】
このように、粘着剤層３８は、テープ型枠３２Ｄ、３２Ｅの上部にてテープ基材の一方の面に設けられ、テープ型枠３２Ｄ、３２Ｅの下部にてテープ基材の他方の面に設けられる。これにより、図１２に示されるようにテープ型枠３２Ｄ、３２Ｅを軌道スラブ５の内側に屈曲して路盤コンクリート１の上面１Ａに貼付することが可能になる。
【００９６】
そして、テープ型枠３２Ｃ、３２Ｄ、３２Ｅが軌道スラブ５の内側に屈曲して路盤コンクリート１の上面１Ａに貼付されことにより、填充材装填空間２１に装填された填充材の圧力によってテープ型枠３２Ｃ、３２Ｄ、３２Ｅが外側に膨らむことを防止できる。すなわち、図４に示されるようなテープ型枠３２Ａの路盤コンクリート１に対する接着面の外方への後退によってテープ型枠３２が弛んで膨らむことを防止できる。
【００９７】
図１４は第５実施形態による補修型枠３０を示す断面図である。図１４に示されるように、補修型枠３０は、テープ型枠３２と、テープ型枠３２に外方へ延びるように一体に設けられた填充材注入用の管状型枠９０とを備えている。テープ型枠３２は、図１３（Ａ）に示されるような、粘着剤層３８がテープ基材の両面の全面に塗布され両面テープとされている。他の実施形態では、テープ型枠３２が図１３（Ｂ）、（Ｃ）に示されるような両面の一部ずつに粘着剤層３８が塗布された一部両面テープであってもよく、図４に示されるような片面テープであってもよい。
【００９８】
管状型枠９０は、注入管９２及び注入ホース９４を有している。注入管９２は、継手パイプ９６と、継手パイプ９６の一端に一体に設けられたフランジ９８とを有している。注入管９２は、樹脂製であっても金属製であってもよく、その他の材料から形成されてもよい。テープ型枠３２には継手パイプ９６を挿通させ得る大きさの円形開口１００が形成されている。この円形開口１００はテープ型枠３２の組立時に適宜な位置に形成される。注入管９２は、テープ型枠３２の内側から継手パイプ９６が円形開口１００に挿入されてフランジ９８がテープ型枠３２の内面に接合されることによってテープ型枠３２に一体に取り付けられる。
【００９９】
注入管９２のフランジ９８は、テープ型枠３２の内面に設けられた粘着剤層３８によってテープ型枠３２に接着されている。また、本実施形態では、フランジ９８をより強固にテープ型枠３２に接着させるために、フランジ９８の外径よりも大きな外径とフランジ９８の外径よりも小さな内径とを有する円環状の取付テープ１０２が設けられている。取付テープ１０２は、フランジ９８を挟むようにテープ型枠３２の内面に接着されている。注入管９２は、テープ型枠３２の組立時にテープ型枠３２に取り付けられる。
【０１００】
注入ホース９４は、ポリ塩化ビニル、ポリオレフィン等の可撓材製の樹脂製シートによって構成されており、可撓性を有し、伸縮性を有していない。注入ホース９４の樹脂材の内部にポリエステル等の糸が入っていてもよい。注入ホース９４は、バンド１０４によって注入管９２の継手パイプ９６に一端を取り付けられている。注入ホース９４の他端は開放されている。
【０１０１】
補修型枠３０がこのように構成されていることにより、図１４中に想像線で示すように、注入用ノズル１０６を注入ホース９４に挿入、接続することで、図示しないポンプからの圧送によって填充材を填充材装填空間２１に注入することができる。そのため、填充材の注入効率を向上できる。また、型枠組立時に任意の位置に填充材注入用の管状型枠９０を設けることができる。なお、管状型枠９０は、注入管９２及び注入ホース９４の少なくとも一方を備えていればよい。
【０１０２】
なお、管状型枠９０から填充材を注入した後には、注入ホース９４を紐やロープ等で縛ることにより、管状型枠９０内の填充材注入通路６２からの填充材の漏出を防止すればよい。填充材の硬化後には、テープ型枠３２と共に管状型枠９０を撤去する。管状型枠９０内の填充材注入通路６２に溜まった状態で固まった填充材は、管状型枠９０の撤去後に切断、除去する。これにより、見栄えよく填充層３を補修することができる。
【０１０３】
図１５は第６実施形態によるテープ型枠３２Ｆの使用前状態を示す斜視図である。図１４に示されるように、本実施形態のテープ型枠３２Ｆは、図１３（Ｃ）に示される２つのテープ型枠素材を互いに接着させたテープ型枠３２Ｅに対し、テープ基材（３４、３６）の上部側の一方の面に設けられた粘着剤層３８を覆う上側用の内側離型紙１１０と、テープ基材の下部側の他方の面に設けられた粘着剤層３８を覆う下側用の外側離型紙１１２とを備える点で相違している。図示例では、内側離型紙１１０及び外側離型紙１１２は、粘着剤層３８が露出する部分（上下のテープ型枠素材が重ならない部分）のみに設けられている。他の例では、内側離型紙１１０及び外側離型紙１１２が対応するテープ型枠素材と同じ幅を有していてもよい。
【０１０４】
外側離型紙１１２には、テープ長手方向に沿って延びる複数の切込線１１４がテープ幅方向に間隔を空けて設けられている。各切込線１１４は、外側離型紙１１２を上下に分断する形態で設けられてもよく、ミシン目状に設けられてもよい。或いは、各切込線１１４が外側離型紙１１２の一方の面に厚さ方向の一部のみに（外側離型紙１１２の厚さよりも小さい深さをもって）設けられてもよい。複数の切込線１１４は、例えば、１ｃｍ間隔や５ｍｍ間隔等に設けられてよい。外側離型紙１１２の最も下端側に設けられる切込線１１４は、外側離型紙１１２の下縁から３ｃｍ以上離れた位置に設けられる（Ｗ１＞３ｃｍ）。また、切込線１１４に対応する後述する高さＨの寸法が、テープ長手方向に適宜の間隔を空けて外側離型紙１１２に印刷されているとよい。図１５では、テープ型枠３２Ｆが直線状に示されているが、使用前の状態では、テープ型枠３２Ｆは芯材に巻かれたロール状とされている。
【０１０５】
図１６及び図１７は、第６実施形態によるテープ型枠３２Ｆの組立手順の説明図である。本実施形態では、テープ型枠設置工程が上記実施形態と異なり、その他の工程は上記実施形態と同一である。以下、テープ型枠設置工程について説明する。
【０１０６】
図１６（Ａ）に示されるように、まず、路盤コンクリート１の上面１Ａから軌道スラブ５の下面５Ｂまでの高さＨを計測する計測工程を行う。次に、指矩（Ｌ型定規）や水平器、下げ振り等の適宜な工具１１６を用いて、路盤コンクリート１の上面１Ａにおける軌道スラブ５の側面５Ａの直下に印１１８を付ける位置出し工程を行う。計測工程と位置出し工程とは、どちらを先に行ってもよい。
【０１０７】
次に、図１６（Ｃ）に示されるように、路盤コンクリート１の上面１Ａから軌道スラブ５の下面５Ｂまでの高さＨに応じた切込線１１４に沿って外側離型紙１１２の下端部を取り除く。続いて、図１７（Ｄ）に示されるように、テープ型枠３２Ｆの下部を軌道スラブ５の内側に向けて外側離型紙１１２の下縁を印１１８に合わせ、テープ型枠３２Ｆを路盤コンクリート１の上面１Ａに貼付する路盤側貼付工程を行う。外側離型紙１１２の上側部分は取り除かれていないため、テープ型枠３２Ｆは印１１８よりも軌道スラブ５の内側でのみ路盤コンクリート１の上面１Ａに接着する。
【０１０８】
次に、図１７（Ｅ）に示されるように、内側離型紙１１０を取り除き、図１７（Ｆ）に示されるように、テープ型枠３２ＦをＬ字形に曲げ起こしてテープ型枠３２Ｆの上部を軌道スラブ５の側面５Ａに貼付するスラブ側貼付工程を行う。これにより、空隙Ｓの開放側の側部が閉塞されて填充層３の外周部に填充材装填空間２１が画定される。図１６（Ｃ）において外側離型紙１１２の下端部を取り除く切込線１１４は、テープ型枠３２Ｆを曲げ起こした際に、下側のテープ型枠素材の上縁が軌道スラブ５の下面５Ｂに整合する位置に設けられたもの（前記高さＨに応じたもの）である。したがって、上側のテープ型枠素材の粘着剤層３８はその全面にわたって軌道スラブ５の側面４Ａに接着し、填充材装填空間２１に露出しない。すなわち、下側のテープ型枠素材の樹脂フィルム３４だけが填充材装填空間２１に露出する。
【０１０９】
このように、図１６（Ｃ）の工程にて、路盤コンクリート１の上面１Ａから軌道スラブ５の下面５Ｂまでの高さＨに応じた位置で外側離型紙１１２の下端部を取り除き、図１７（Ｄ）の路盤側貼付工程にて、外側離型紙１１２の下縁を印１１８に合わせることで、容易にテープ型枠３２Ｆを適切な位置に設置することができる。即ち、路盤コンクリート１の上面１Ａに接着させたテープ型枠３２Ｆが必要以上に広い範囲にわたって路盤コンクリート１に接着することがなく、図１７（Ｆ）のスラブ側貼付工程にて、容易にテープ型枠３２ＦをＬ字形に曲げ起こして軌道スラブ５の側面５Ａに貼付することができる。
【０１１０】
また、テープ型枠３２Ｆの上部にて軌道スラブ５の側面５Ａ側に設けられた粘着剤層３８が不要に大きく空隙Ｓに面することが抑制される。これにより、填充材の注入、硬化後にテープ型枠３２Ｆを除去する際に、テープ型枠３２Ｆが充填材に接着して除去し難くなることが抑制される。
【０１１１】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【０１１２】
例えば、上記のテープ型枠３２はテープ基材として不織布３６を有しているが、不織布３６を有する代わりに織布を有していてもよく、不織布３６や織布を有していなくてもよい。また、補修型枠３０が、第１填充材注入通路６２Ａを画定する箱状型枠５０を備えずに、第２填充材注入通路６２Ｂを画定する袋状型枠７０だけを備えていてもよい。更に、第２填充材注入通路６２Ｂを画定する注入用型枠として、袋状型枠７０の代わりに堰板状の型枠が用いられてもよい。
【０１１３】
また、上記実施形態に示した構成要素は必ずしも全てが必須なものではなく、本発明の趣旨を逸脱しない限りにおいて適宜取捨選択することが可能である。
【符号の説明】
【０１１４】
１      路盤コンクリート
１Ａ    上面
３      填充層
５      軌道スラブ
５Ａ    側面
５Ｂ    下面
２１    填充材装填空間
３０    補修型枠
３２    テープ型枠
３２Ａ、３２Ｃ、３２Ｄ、３２Ｅ、３２Ｆ  下段のテープ型枠
３２Ｂ  上段のテープ型枠
３４    樹脂フィルム（テープ基材）
３６    不織布（テープ基材）
３８    粘着剤層
４０    装填開口
５０    箱状型枠（注入用型枠）
６０    填充材注入口
６２    填充材注入通路
６２Ａ  第１填充材注入通路
６２Ｂ  第２填充材注入通路
７０    袋状型枠（注入用型枠）
７４    エア抜き孔
７６    テープ
７８    堰板
９０    管状型枠（注入用型枠）
９２    注入管
９４    注入ホース
１１０    内側離型紙
１１２    外側離型紙
１１４    切込線
１１８    印
Ｈ      路盤コンクリート１の上面１Ａから軌道スラブ５の下面５Ｂまでの高さ
Ｓ      空隙
【図１】
2020041397.tif 000003
【図２】
2020041397.tif 000004
【図３】
2020041397.tif 000005
【図４】
2020041397.tif 000006
【図５】
2020041397.tif 000007
【図６】
2020041397.tif 000008
【図７】
2020041397.tif 000009
【図８】
2020041397.tif 000010
【図９】
2020041397.tif 000011
【図１０】
2020041397.tif 000012
【図１１】
2020041397.tif 000013
【図１２】
2020041397.tif 000014
【図１３】
2020041397.tif 000015
【図１４】
2020041397.tif 000016
【図１５】
2020041397.tif 000017
【図１６】
2020041397.tif 000018
【図１７】
2020041397.tif 000019